(57)【要約】【課題】光源を観察対象物から一定の距離に保つことができる顕微鏡用照明器具を提供する。【解決手段】  顕微鏡１は、観察対象物を載置する架台２と、架台２から垂直に伸びる支柱３と、架台２に対向する観察光学系４と、観察光学系４を支柱３に対して昇降移動させるための昇降機構５とを備える。観察光学系４は、架台２に対向する対物レンズ４１と、鏡筒４２と、接眼レンズ４３とを備える。鏡筒４２は、固定部４４を介して昇降機構５に連結される。照明器具１０は、支柱３に対して昇降移動可能な固定部４４に取り付けられ、観察対象物を照明可能な光源６と、光源６が一方の端部７１に固定された棒部７と、棒部７を支持するとともに顕微鏡１の固定部４４に取付可能な取付部８とを備える。照明器具１０は、取付部８に対して棒部７が軸方向に移動可能な移動機構９と、観察対象物に対する角度が変更可能な角度変更機構とを備える。【選択図】図２
2019148763.tif 000002
【特許請求の範囲】
【請求項１】
観察対象物を照明するための顕微鏡に取付可能な顕微鏡用照明器具であって、
前記観察対象物を照明する光源と、前記光源が一方の端部に固定された棒部と、前記棒部を支持するとともに前記顕微鏡に取付可能な取付部とを備え、
前記棒部は、前記取付部に対して軸方向に移動可能な移動機構を備えることを特徴とする顕微鏡用照明器具。
【請求項２】
前記観察対象物に対する角度が変更可能な角度変更機構をさらに備えることを特徴とする請求項１記載の顕微鏡用照明器具。
【請求項３】
前記取付部は、前記顕微鏡の昇降移動する部材に取り付けられることを特徴とする請求項１または２記載の顕微鏡用照明器具。
【発明の詳細な説明】
【技術分野】
【０００１】
この発明は、観察対象物を照明するために顕微鏡に取付可能な照明器具に関し、特に架台に対して観察光学系が相対移動可能な顕微鏡に取付可能な照明器具に関する。
【背景技術】
【０００２】
従来、架台に対して観察光学系が昇降移動可能となっている顕微鏡は一般的に知られている。特許文献１に記載された顕微鏡は、架台と、焦点調節柱と、焦点調節アームとを備える顕微鏡用スタンドと、顕微鏡用スタンドに着脱可能に固定される観察光学系とを備える。観察光学系は、焦点調節アームに支持される鏡筒と、鏡筒の一方の端部であって架台に対向する対物レンズと、鏡筒の他方の端部に位置する接眼レンズとを備える。焦点調節アームを操作することによって、観察光学系は昇降移動可能であって、架台に相対移動する。対物レンズにはホルダ部材を介して光源を取付可能とし、観察対象物に垂直に近い角度で照射し、影の影響を少なくしている。
【先行技術文献】
【特許文献】
【０００３】
【特許文献１】特開２０１７−１６７２２２号公報
【発明の概要】
【発明が解決しようとする課題】
【０００４】
従来の顕微鏡用照明器具においては、光源が対物レンズにホルダ部材を介して固定されるため、対物レンズを含む観察光学系が昇降移動すると、光源も昇降移動する。観察対象物は架台に載置されるから、対物レンズが観察対象物から離れるように移動した場合には、光源も観察対象物から離れてしまい、その分視野が暗くなってしまうという問題があった。また、観察対象物の大きさ等によっては、対物レンズと観察対象物との離間寸法が大きくなってしまい、対物レンズに固定された光源では明るさが不十分な場合もある。
【０００５】
この発明は、光源を観察対象物から一定の距離に保つことができる顕微鏡用照明器具を提供することを課題とする。
【課題を解決するための手段】
【０００６】
この発明は、観察対象物を照明するための顕微鏡に取付可能な顕微鏡用照明器具であって、前記観察対象物を照明する光源と、前記光源が一方の端部に固定された棒部と、前記棒部を支持するとともに前記顕微鏡に取付可能な取付部とを備え、前記棒部は、前記取付部に対して軸方向に移動可能な移動機構を備えることを特徴とする。
【０００７】
前記顕微鏡用照明器具は、前記観察対象物に対する角度が変更可能な角度変更機構をさらに備えることを特徴とするものであってもよい。
【０００８】
前記顕微鏡用照明器具は、前記取付部が、前記顕微鏡の昇降移動する部材に取り付けられることを特徴とするものであってもよい。
【発明の効果】
【０００９】
この発明に係る顕微鏡用照明器具の実施形態によれば、光源が固定された棒部が、顕微鏡に取付可能な取付部に対して軸方向に移動可能な移動機構を備えるので、取付部が観察対象物から離れるように移動した場合には、移動機構によって光源を観察対象物に近づけるように移動することができる。したがって、一定の視野の明るさを保つことができる。
【図面の簡単な説明】
【００１０】
【図１】この発明の実施形態に係る顕微鏡用照明器具を顕微鏡に取り付けた時の概要側面図。
【図２】顕微鏡用照明器具の斜視図。
【図３】顕微鏡用照明器具の取付部を説明するための斜視図。
【発明を実施するための形態】
【００１１】
図１は、本願発明の一実施形態に係る照明器具１０を顕微鏡１に取り付けた状態を示す。
顕微鏡１は、観察対象物を載置する架台２と、架台２から垂直に伸びる支柱３と、架台２に対向する観察光学系４と、観察光学系４を支柱３に対して昇降移動させるための昇降機構５とを備える。
【００１２】
観察光学系４は、架台２に対向する対物レンズ４１と、対物レンズ４１に鏡筒４２を介して配置される接眼レンズ４３とを備える。鏡筒４２は、固定部４４を介して昇降機構５に連結される。
固定部４４は、支柱３側に位置する基端部４４ａと、その反対側に位置する先端部４４ｂとを備え、先端部４４ｂ近傍で観察光学系４の鏡筒４２を支持する。
【００１３】
昇降機構５は、支柱３に沿って延びる図示しないスライダーと、スライダーに沿って固定部４４を昇降移動させる照準ハンドル５２を備える。照準ハンドル５２を回動させることによって、固定部４４を昇降移動させることができ、観察光学系４と観察対象物との距離を移動させ、焦点の粗動調節をすることができる。また、観察光学系４は、鏡筒４２に内蔵された図示しないズームレンズを移動させ、焦点の微動調節をするためのズームハンドル４６を備える。
【００１４】
照明器具１０は、支柱３に対して昇降移動可能な固定部４４に取り付けられる。より詳細には、照明器具１０は固定部４４の基端部４４ａ近傍に取り付けられる。図２を合わせて参照すれば、照明器具１０は、観察対象物を照明可能な光源６と、光源６が一方の端部７１に固定された棒部７と、棒部７を支持するとともに顕微鏡１の固定部４４に取付可能な取付部８とを備える。さらに、照明器具１０は、取付部８に対して棒部７が軸方向に移動可能な移動機構９と、観察対象物に対する角度が変更可能な角度変更機構とを備える。
【００１５】
この実施形態において光源６として、有機ＥＬパネルを用いている。棒部７として、柔軟に屈曲可能な可撓性を有する材料を用いることができ、例えばフレキシブルチューブを用いることができる。有機ＥＬパネルにはフレキシブルチューブの内部に挿入された電線を介して電源を供給する（図１参照）。図３を合わせて参照すれば、取付部８は、取付本体８１と、取付本体８１に形成されるとともに固定部４４に嵌合可能な嵌合凹部８２と、嵌合凹部８２を固定部４４に固定するための締付部８３とを備える。棒部７の他方の端部７２が移動機構９によって移動可能に保持される。
【００１６】
嵌合凹部８２は、その一端面８２ａから他端面８２ｂまでの寸法が、固定部４４の幅よりも大きく、固定部４４の上に載置可能である。一端面８２ａには例えばねじ部材を有する締付部８３が設けられ、締付部８３によって取付本体８１を固定部４４に嵌合、固定することができる。
【００１７】
照明器具１０には、棒部７が軸方向すなわち観察光学系４の昇降方向に移動可能な移動機構９が設けられる。移動機構９は、取付本体８１に形成された第１の条溝９１と、第１の条溝９１に対向配置された押圧部９２と、押圧部９２に設けられるとともに第１の条溝９１に対向する第２の条溝９３と、押圧部９２に螺合されるとともに、押圧部９２と取付本体８１とを固定可能なねじ部材９４とを備える。ねじ部材９４を時計回りに回転させることによって押圧部９２を棒部７に押し付けることができ、第１の条溝９１と第２の条溝９３とによって棒部７を強固に保持することができる。ねじ部材９４を反時計回りに回転させると押圧を弱くすることができ、棒部７を軸方向に移動可能とすることができる。
【００１８】
上記のような構成において、焦点調節のため観察光学系４を架台２から遠ざかるように上昇移動させた場合、観察光学系４を支持する固定部４４も上昇移動する。照明器具１０の取付本体８１は固定部４４に嵌合させるから、取付本体８１もこれに伴い上昇移動する。仮に光源が観察対象物から遠ざかるとその分視野は暗くなってしまう。しかし、この実施形態によれば、光源に取り付けられた棒部７は取付本体８１に対して軸方向に移動可能であるから、棒部材７を下降させることによって光源も下降させることができ、観察対象物から光源が遠ざかるのを抑止することができる。また、棒部７としてフレキシブルチューブを用いることができるので、観察対象物に対する光源の角度を自在に変更可能である。すなわち、フレキシブルチューブを用いることによって角度変更機構を実現することができる。
【００１９】
光源として有機ＥＬパネルを用いることによって、観察対象物におけるハレーションを抑制することができる。特に、観察対象物が光沢を有する金属であったり、反射率の高いフィルムであったりした場合にはハレーションが起こりやすくなるが、これを有効に抑制することができ、観察対象物の適切な観察が実現される。また、有機ＥＬパネルを用いることによって、面発光による照射が可能となり、観察対象物に影ができにくいというメリットもある。パネルは折り曲げ可能な可撓性パネルを用いることもでき、例えば観察対象物を囲むように湾曲させて用いることもできる。光源として複数の種類の光源を組み合わせることもできる。例えば、有機ＥＬとＬＥＤとを組み合わせることによって、明るい視野を確保しつつ、ハレーションを抑制することもできる。採用する光源の種類および数等は、使用目的に応じて適宜変更可能である。
【００２０】
この実施形態において、棒部７としてフレキシブルチューブを用いているが、非可撓性材料を用いることもできる。その場合には、可動部を設けることによって、光源の角度を変更可能とすることができ、角度変更機構とすることができる。
また、光源は一つであっても複数であってもよい。また、顕微鏡１に固定された光源を別途備える場合であっても、この実施形態における顕微鏡用照明器具を用いることができる。
【００２１】
照明器具１０は、顕微鏡１の観察光学系４を支柱３に固定するための固定部４４に取り付けることとしているが、これに限定されるものではない。例えば昇降機構５のいずれかに取り付けることもできるし、観察光学系４に取り付けることもできる。この場合には、例えば、対物レンズ４１に取付部８を取り付けることによって、光源６を移動可能に保持することができる。また、顕微鏡１として観察光学系４が昇降移動するものを用いているが、これに限定されるものではない。観察光学系４が固定されている場合であっても、この実施形態の照明器具１０を用いることによって、任意の位置に光源を配置することができるため、観察対象物に対し所望の照明を得ることができる。
【００２２】
この実施形態において用いた具体的機構および材料は、この発明の一例であり、この分野において通常用いられる機構および材料を採用することが可能である。
【符号の説明】
【００２３】
１    顕微鏡
６    光源
７    棒部
８    取付部
９    移動機構
１０    照明器具（顕微鏡用照明器具）
【図１】
2019148763.tif 000003
【図２】
2019148763.tif 000004
【図３】
2019148763.tif 000005